(57)【要約】【課題】魚が食いついたときに釣針３が魚の口の中に入り易く、また口の中に入った釣針３が確実に魚の口にかかる釣り用ルアー１を提供すると共に、魚が食いついたときの当たりを釣り人に的確に伝えることが可能な釣り用ルアー１を提供する。【解決手段】釣り用ルアー１は、ルアー本体２と、釣針３と、そして、ラインが繋がれるアイレット４と、を含み構成され、釣針３は、ルアー本体２近傍に位置するようにして当該釣針３のアイ３ａとシャンク３ｂの少なくとも二箇所をルアー本体２に可動可能に取着したことを特徴とする。【選択図】  図１
2004159576.tif 000002
【特許請求の範囲】
【請求項１】
ルアー本体と、釣針と、そしてアイレットと、を含み構成され、
前記釣針は、前記ルアー本体近傍に位置するようにして当該釣針のアイとシャンクの少なくとも二箇所を前記ルアー本体に可動可能に取着したことを特徴とする釣り用ルアー。
【請求項２】
請求項１に記載の釣り用ルアーにおいて、
前記釣針のアイが、前記ルアー本体に設けられた前記アイレットに可動可能に取着されていることを特徴とする釣り用ルアー。
【請求項３】
請求項１又は２に記載の釣り用ルアーにおいて、
前記ルアー本体への前記シャンクの取着は、予め前記ルアー本体に配設された孔が穿設されたリップの当該孔に前記シャンクが位置するように可動可能に貫通させて取着したことを特徴とする釣り用ルアー。
【請求項４】
ルアー本体と、釣針と、そしてアイレットと、を含み構成され、
前記釣針のシャンクには取付糸が配設され、当該取付糸の端部を前記アイレットに取着すると共に、前記取付糸又は前記釣針のシャンクを前記ルアー本体に可動可能に取着することにより少なくとも二箇所で前記釣針を前記ルアー本体近傍に位置するように取着したことを特徴とする釣り用ルアー。
【請求項５】
請求項４に記載の釣り用ルアーにおいて、
前記ルアー本体への前記取付糸又は前記釣針のシャンクの取着は、予め前記ルアー本体に配設された孔が穿設されたリップの当該孔に前記取付糸又は前記釣針のシャンクが位置するように可動可能に貫通させて取着したことを特徴とする釣り用ルアー。
【請求項６】
請求項１〜５のいずれか１項に記載の釣り用ルアーにおいて、
前記釣針が交換可能であることを特徴とする釣り用ルアー。
【請求項７】
請求項１〜６のいずれか１項に記載の釣り用ルアーにおいて、
前記釣針は、針先が前記ルアー本体に接触しないようにその動きが規制されていることを特徴とする釣り用ルアー。
【請求項８】
本体胴体部材と、二つの鋏足部材と、そして、二つの釣針と、を含み構成され、
二つの前記鋏足部材は、それぞれ前記本体胴体部材の両側に配設された取付部にスプリットリングを介して互いに可動可能に取着され、
前記釣針は、当該釣針のアイを前記取付部にその可動範囲を規制するように取着すると共に、前記釣針のシャンクを前記本体胴体部材に可動可能に取着することにより、前記本体胴体部材の両側面に立設させて当該釣針を前記ルアー本体に少なくとも二箇所で可動可能に取着したことを特徴とする釣り用ルアー。
【発明の詳細な説明】
【０００１】
【発明が属する技術分野】
本発明は、釣りに使用される釣り用ルアーに関し、特に釣針に魚がかかり易くし、且つ当たりを的確に捉える釣り用ルアーに関する。
【０００２】
【従来の技術】
従来の釣り用ルアーとして図８に示した釣り用ルアー５０は、魚を模した形状をしたルアー本体５１と、二つの釣針５２と、アイレット５３と、スプリットリング５４と、そして、リップ５６を含んで構成されている。釣針５２は、アイレット５３やスプリットリング５４を介してルアー本体５１に一点で繋がっており、これにより釣針５２はぶらぶらと垂下している（例えば、特許文献１参照。）。そして、魚が釣り用ルアー５０に食いつく際に、釣り用ルアー５０のルアー本体５１ばかりでなく、ぶらぶらと垂下された釣針５２が同時に魚の口に入ることで、魚がかかっていた。
【０００３】
かかる従来の釣り用ルアー５０においては、ライン５５がスプリットリング５５ｂを介してアイレット５５ａに繋がっているので、釣針５２に魚がかかったときの当たりは、まず釣針５２から釣針５２の繋がっているスプリットリング５４を介してアイレット５３へ伝わり、ルアー本体５１へ伝わり、そしてアイレット５５ａへ伝わり、最後にスプリットリング５５ｂへ伝わってからライン５５に伝達されていた。
図８に示した釣り用ルアーは一例であるが、従来の釣り用ルアーの大多数はそのような構成を備えていた。
【０００４】
【特許文献１】
特開２００２−１１９１７５号公報
【０００５】
【発明が解決しようとする課題】
しかしながら、上述した従来の釣り用ルアー５０では、釣針５２がルアー本体５１にぶらぶらと垂下していてルアー本体５１と釣針５２が離れているため、魚が釣針５２にかかり難いといった問題点があった。これは魚が釣り用ルアー５０を餌と認識して食いつく場合に、釣り用ルアー５０の腹の部分、すなわち、ルアー本体５１めがけて食いつく習性があり、釣針５２がルアー本体５１から離れている従来の釣り用ルアー５０にあっては釣針５２が魚の口にうまく入らないからである。その一方、釣り用ルアー５０のルアー本体５１に釣針５２をしっかりと固定してしまうと、特定の方向、すなわち釣針５２の先端の向いた方向とは逆の方向から魚が釣り用ルアー５０に食いついた時のみ、釣針５２に魚がかかり、他の方向からでは魚がかかり難くなるといった問題点もある。
【０００６】
また、従来の釣り用ルアー５０では、釣針５２がルアー本体５１にぶらぶらと垂下していることで釣針５２の動きの自由度は大きいが、複数の釣針５２が互いに絡み合うことがあった。さらに、釣針５２がルアー本体５１に引っ掛かってしまい、釣針５２に魚がかからない状態となってしまうこともあった。
【０００７】
さらに、従来の釣り用ルアー５０では、アイレット５３やスプリットリング５４を介して、釣針５２がルアー本体５１にぶらぶらと垂下しているため、魚が釣針５２に食いついても、その当たりが釣針５２から、スプリットリング５４へ、次にアイレット５３へ、次にルアー本体５１へ、次にアイレット５５ａへ、次にスプリットリング５５ｂへと伝わっていたので、ライン５５に伝わるのに時間がかかった。つまり、釣針５２からライン５５までの間の中継の部材が多かった。その結果、釣り人に当たりが的確に伝わらず、その当たりにタイミングを合わせるのが、難しいといった問題点があった。
【０００８】
そこで、本発明が解決すべき課題は、魚が釣り用ルアーのルアー本体に向かって来た時に釣針が魚の口の中に入り易くし、口の中に入った釣針が確実に魚の口にかかる釣り用ルアーを提供することと、この釣り用ルアーにより魚が釣り用ルアーの釣針に食いついた当たりを的確に捉えることを可能にすることである。
【０００９】
【課題を解決するための手段】
上記課題を解決するために請求項１記載の発明は、ルアー本体と、釣針と、そしてアイレットと、を含み構成され、釣針は、ルアー本体近傍に位置するようにして釣針のアイとシャンクの少なくとも二箇所をルアー本体に可動可能に取着したことを特徴とする釣り用ルアーを提供する。
【００１０】
釣針がアイとシャンクの少なくとも二箇所でルアー本体に取着されているのでルアー本体と釣針の距離が短くなる。また、釣針は可動可能であるため、魚が様々な方向から釣り用ルアーに食いついてきても、魚に釣針が確実にかかるようになる。
【００１１】
上記課題を解決するために請求項２に記載の発明は、請求項１に記載の釣り用ルアーにおいて、釣針のアイが、ルアー本体に設けられたアイレットに可動可能に取着されていることを特徴とする。
釣針のアイがアイレットに取り付けられているので、当該アイレットに直接ラインを繋ぐことで、当たりが釣針からラインに最短距離で伝わり、釣り人が魚を釣るタイミングを逃すことがなくなるようになる。
【００１２】
上記課題を解決するために請求項３に記載の発明は、請求項１又は２に記載の釣り用ルアーにおいて、ルアー本体へのシャンクの取着は、予めルアー本体に配設された孔が穿設されたリップの孔にシャンクが位置するように可動可能に貫通させて取着したことを特徴とする。
これにより、釣針のシャンクをリップを利用して取り付けることが出来るようになる。
【００１３】
上記課題を解決するために請求項４に記載の発明は、ルアー本体と、釣針と、そしてアイレットと、を含み構成され、釣針のシャンクには取付糸が配設され、取付糸の端部をアイレットに取着すると共に、取付糸又は釣針のシャンクをルアー本体に可動可能に取着することにより少なくとも二箇所で釣針をルアー本体近傍に位置するように取着したことを特徴とする釣り用ルアーを提供する。
【００１４】
釣針が糸を介してアイレットに取着されるので、釣針の動きに柔軟性が加わる。また、取付糸又はシャンクは、少なくとも取付糸の端部が嵌設されたアイレット以外の他の一箇所でルアー本体に取着されるので、ルアー本体と釣針の距離が短くなる。さらに、釣針は可動可能であるため、魚が様々な方向から釣り用ルアーに食いついてきても、魚に釣針が確実にかかるようになる。
【００１５】
上記課題を解決するために請求項５に記載の発明は、請求項４に記載の釣り用ルアーにおいて、ルアー本体への取付糸又は釣針のシャンクの取着は、予めルアー本体に配設された孔が穿設されたリップの当該孔に取付糸又は釣針のシャンクが位置するように可動可能に貫通させて取着したことを特徴とする。
これにより、釣針はリップを介してルアー本体に取着することが可能で、且つリップにより種々の動きが実現出来るようになる。
【００１６】
上記課題を解決するために請求項６に記載の発明は、請求項１〜５のいずれか１項に記載の釣り用ルアーにおいて、釣針が交換可能であることを特徴とする。釣針が交換可能とされているので、高価である釣り用ルアーのルアー本体を繰り返し使うことが可能となる。
【００１７】
上記課題を解決するために請求項７に記載の発明は、請求項１〜６のいずれか１項に記載の釣り用ルアーにおいて、釣針は、針先がルアー本体に接触しないようにその動きが規制されていることを特徴とする。
釣針の動きがルアー本体に接触しないようにその可動範囲が規制されているので釣針がルアー本体に突き刺さって魚が食いついても釣針が魚に引っ掛からないということがない。
【００１８】
上記課題を解決するために請求項８に記載の発明は、本体胴体部材と、二つの鋏足部材と、そして、二つの釣針と、を含み構成され、二つの鋏足部材は、それぞれ本体胴体部材の両側に配設された取付部にスプリットリングを介して互いに可動可能に取着され、釣針は、釣針のアイを取付部にその可動範囲を規制するように取着すると共に、釣針のシャンクを本体胴体部材に可動可能に取着することにより、本体胴体部材の両側面に立設させて釣針をルアー本体に少なくとも二箇所で可動可能に取着したことを特徴とする釣り用ルアーを提供する。
【００１９】
【発明の実施の形態】
以下、本発明に係る釣り用ルアーについて図示された一実施形態に基づいて、更に詳しく説明する。
【００２０】
図１は、本発明に係る釣り用ルアーの第一の実施形態を示す側面図である。図示された釣り用ルアー１は、ルアー本体２と、釣針３と、ライン９を繋ぐアイレット４と、そして、ルアー本体２の下部から斜め下方に伸びるリップ６を有して構成されている。
【００２１】
ルアー本体２は、熱可塑性プラスチックから製造されている。もちろん、それ以外の材料で製造されても良い。また、ルアー本体２は、流線型の魚を模した形状をしている。そして、図示した実施例では、魚の目が描かれていて、図１においてルアー本体２の左方向が頭部（前方）であることが分かるようになっている。ルアー本体２の頭部側の下部には、ライン９を繋ぐアイレット４が取り付けられていて、その後方には、斜め下方に伸びるリップ６が取り付けられている。アイレット４の材質は限定されないが、十分な強度を有する鉄鋼材料等で形成されることが好ましい。リップ６は、熱可塑性プラスチック製で透明又は半透明であることが好ましい。
【００２２】
図２に、図１の釣り用ルアーの先端下部の部分拡大図を示す。図２において、釣針３はリング状のアイ３ａと、アイ３ａに連続して形成されたシャンク３ｂを備えており、釣針３はアイ３ａがルアー本体２のアイレット４に嵌合され、且つ、釣針３のシャンク３ｂがリップ６に穿設された孔６ａを貫通して、ルアー本体２下部近傍に位置するようにして取り付けられている。これにより、魚が食いついたときの当たりを釣り人に的確に伝えることが可能となる。当該実施例では、アイレット４に釣針３のアイ３ａを取り付けているが、アイレット４とアイ３ａの間にスプリットリング５等を介して取り付けても良い。また、図３に示すように、アイレット４は、常に釣針３のアイ３ａの孔よりも小さいようにしておいて、アイレット４からアイ３ａが外れないようにスプリットリング５を設けて釣針３をルアー本体２に取着しても良い。もちろん、この時にはスプリットリング５は、アイ３ａの孔を通り抜けない大きさであることが必要であり、ライン９をアイレット４ではなくスプリットリング５に繋げることも可能である。さらに、ルアー本体２に二以上のアイレット４、４を配設して、アイ３ａとシャンク３ｂを固定することで釣針３を取着することも可能である。
【００２３】
釣針３のルアー本体２への取着本数は、図示した第一の実施形態においては１本となっている。しかし、これにより、釣針３の取着本数は限定されるものではなく、２つ以上であっても良い。例えば、２本の釣針３を取着する際には、同一のアイレット４や同一のスプリットリング５を用いて、同じ箇所に取着することも可能である。この場合、２本の釣針３の先端の向いている方向は、異なる方が望ましい。または、異なるアイレット４や異なるスプリットリング５を用いて、異なる箇所に釣針３を取り付けることも可能である。これらは、釣針３の本数、釣針３の取着箇所及び取着に用いるアイレット等の部材の種類や数が制限されるものではないことを指し示している。
【００２４】
釣針３は、アイ３ａがライン９が繋がれるアイレット４に可動可能に取り付けられると共に、シャンク３ｂがリップ６に穿設された孔６ａによりルアー本体２に取り付けられており全く固定された状態ではなく、図２に矢印で示したように、釣針３の針先がルアー本体２に接触しないようにその動きが規制されてはいるものの可動可能とされている。これにより、釣針３を全く固定してしまった場合のように魚の食いつく方向により釣針３に魚が引っ掛かり難くなるといったことがなく、さらに、釣針がルアー本体２に突き刺さってしまい魚が食いついても釣針３が魚に引っ掛からないということも防止される。
【００２５】
釣針３は、ルアー本体２から取り外し可能にとされ、古くなったり、使用に耐えないようになった釣針３を、新しい釣針３に交換可能とされている。具体的には、まず、釣針３のアイ３ａが嵌合されているアイレット４をペンチ等の器具により変形させ、釣針３のアイ３ａを引き抜く。その後、釣針３を図２における左側方向に移動させてリップ６の孔６ａから釣針３の返し３ｃが形成された先端部を引き抜いて取り外しは完了する。逆に、釣針３を取り付ける時には、まず釣針３の先端部をリップ６の孔６ａに挿入し、その後に釣針３のアイ３ａをアイレット４に嵌合させる。最後にアイレット４を、アイ３ａが抜けない形状に変形させる。もちろん、釣針３の着脱手段はこれに限定されるものではない。
尚、図３に示す釣針３の取り付け方法は、後述する第二の実施形態における取り付け方法における説明を参考に出来る。
【００２６】
次に、本発明に係る釣り用ルアーの第二の実施形態を、図を用いて説明する。図４は、釣り用ルアーの第二の実施形態の構造を示す側面図である。図示した釣り用ルアー１０は、ルアー本体２と、釣針３と、ライン９を繋ぐアイレット４と、釣針３とアイレット４を繋げる取付糸７と、そして、ルアー本体２の下部から斜め下方に伸びるリップ６とを含んで構成されている。
尚、第二の実施形態を説明するために、第二の実施形態中で第一の実施形態と同様の部材を同様に適用したものには、第一の実施形態中の符号と同様の符号を用いた。
【００２７】
第二の実施形態においては、アイ３ａ等である釣針３の針先と異なる他端には、取付糸７が結び部７ｂで強固に結ばれている。この取付糸７はケプラーラインで出来ているが、張りのある取付糸であれば他の取付糸を用いることも可能である。取付糸７の一端には輪７ａが作られているが、これは取付糸７を輪にしたものである。
【００２８】
図５に、図４の釣り用ルアー１０の先端下部の部分拡大図を示す。図５において、取付糸７の結ばれた釣針３は、孔の開いた輪７ａと、ライン９が繋がれ輪７ａに入るアイレット４と、アイレット４から輪７ａが抜け落ちないようにするスプリットリング５とによってルアー本体２に可動可能に取着されていると共に、取付糸７がリップ６に穿設された孔６ａによりルアー本体２に取り付けされている。しかし、ルアー本体２に取り付けられた取付糸７は、全く固定された状態ではなく、図５に矢印で示したように、動きが規制されているものの、可動可能である。もちろん、釣針３は、取付糸７で繋がれているだけなので、自由に動くことが出来る。しかし、リップ６から出た釣針３に繋がる取付糸７はそれほど長くはないため、釣針３はルアー本体２近傍に位置している。それ故、釣針３を全く固定してしまった場合のように魚の食いつく方向により釣針３に魚が引っ掛かり難くなるといったことがなく、さらに、釣針３がルアー本体２に突き刺さってしまい魚が食いついても釣針３が魚に引っ掛からないということも防止される。リップ６の孔６ａから釣針３の結び部７ｂまでの取付糸７の長さは、５ｍｍ以下の長さであることが好ましい。
尚、第二の実施形態においては、釣針３に繋がる取付糸７がリップ６に穿設された孔６ａによりルアー本体２に取着されているが、孔６ａにより取着されるのが釣針３のシャンク３ｂであっても良い。また、第二の実施形態では、取付糸７の途中がリップ６に穿設された孔６ａによりルアー本体２に取着されているが、リップ６を用いずにアイレット４により可動可能に固定しても良い。さらに、ライン９はアイレット４に繋がれているが、スプリットリング５に繋いでも良い。
【００２９】
第二の実施形態においても、釣針３の取り外しは可能である。取り外しは、特殊な道具を用いずに容易に行うことが出来る。これは、スプリットリング５が簡単に取り外し出来るからである。スプリットリングは、針金等の細い金属の棒を２重又は３重に巻いたものであり、一本の金属の棒から出来ている。それ故、スプリットリング５は、回転させてアイレット４から着脱可能である。
アイレット４は、常に取付糸７の輪７ａに出入り出来る大きさにしておいて、アイレット４から輪７ａが外れないようにスプリットリング５を設けて釣針３をルアー本体２に取着している。尚、この時にはスプリットリング５は、輪７ａの孔を通り抜けない大きさである。つまり、スプリットリング５が、取り付けされていない状態は、アイレット４から輪７ａが自由に出入り可能である状態である。従って、取付糸７の繋がった釣針３をルアー本体２に取着するときには、釣針３に繋がった取付糸７をリップ６の孔６ａを通し、取付糸７の輪７ａをアイレット４に嵌める。その後、スプリットリング５を取り付けて、釣針３はルアー本体２に取着される。一方、釣針３を取り外すときには、まず、スプリットリング５を取り外し、輪７ａをアイレット４から抜けば、釣針３をルアー本体２から取り外せる。
【００３０】
さらに、本発明に係る釣り用ルアーの第三の実施形態を、図を用いて説明する。
図６は、釣り用ルアーの第三の実施形態の構造を示す側面図である。図６に示した釣り用ルアー１１は、海老を模した釣り用ルアーである。
図示された釣り用ルアー１１は、本体胴体部材１２と、海老の鋏を模した二つの鋏足部材１３と、二つの釣針３とを含んで構成されている。
尚、第三の実施形態を説明するために、第三の実施形態中で第一の実施形態と同様の部材を同様に適用したものには、第一の実施形態中の符号と同様の符号を用いた。
【００３１】
本体胴体部材１２及び鋏足部材１３は、共に熱可塑性プラスチックから製造されているが、これに限るものではなく金属製でも木材製であっても良い。本体胴体部材１２は、海老のボディーに相当し、鋏足部材１３は、海老の鋏足に相当する。本体胴体部材１２の図６における右側方向が頭部とされ、所定位置には目が描かれている。本体胴体部材１２の頭部側近傍の両側の取付部に、鋏足部材１３がそれぞれ取り付けられている。図７に示すように、本体胴体部材１２と鋏足部材１３の所定箇所にはそれぞれアイレット４が設けられており、本体胴体部材１２のアイレット４と鋏足部材１３のアイレット４をスプリットリング５で繋ぐことにより鋏足部材１３が本体胴体部材１２に連結されている。尚、本実施形態においてはスプリットリング５や鋏足部材１３のアイレット４が本体胴体部材１２に接触することで本体胴体部材１２を傷つけないために、プレート部材１４が本体胴体部材１２側に取り付けられている。プレート部材１４は、プラスチックから出来ているが、柔らかい素材であればよく、例えばゴムで作製することも可能である。
【００３２】
鋏足部材１３は、本体胴体部材１２にスプリットリング５を介して連結されているので、可動可能であり、動きの自由度が高い。ここで、図６に示すように第三の実施形態では、本体胴体部材１２の後部側（図の左側）の一端にアイレット４が取り付けられており、このアイレット４にライン９が繋がれるようになっている。この構造により、ライン９を引くと、釣り用ルアー１１は後方側に引っ張られると共に可動可能な鋏足部材１３が自由に動き、あたかも釣り用ルアー１１は生きた海老が後ずさりしている様に感じさせる。
【００３３】
さらに、釣り用ルアー１１には、本体胴体部材１２の頭部側の両側にそれぞれ二つのアイレット４、４が配設されており、この二つのアイレット４、４によって釣針３が取り付けられている。より具体的には、釣針３は、鋏足部材１３を取り付けている本体胴体部材１２のアイレット４に釣針３のアイ３ａが取着され、且つ、釣針３のシャンク３ｂが本体胴体部材１２の他のアイレット４内を貫通するようにして本体胴体部材１２に取り付けられている。このように釣針３は本体胴体部材１２に遊びを有して取着されているので釣針３は可動可能である。つまり、釣針３はルアー本体１２に取着されているが僅かに動くようになっていて、動きが規制されている。また、図示した第三の実施形態では、釣針３が本体胴体部材１２に２本取り付けられている。しかし、用途に応じて、釣針３の数や取り付け角度を任意に変更することも可能であり、また本体胴体部材１２ばかりでなく、同様の方法で鋏足部材１３にも釣針３を取り付けることも可能である。
【００３４】
鋏足部材１３は、本体胴体部材１２にスプリットリング５を介して連結されているので、スプリットリング５を取り外せば、鋏足部材１３と本体胴体部材１２は容易に分離することが出来る。ここで、釣針３のアイ３ａの孔はアイレット４に嵌めて、その上にスプリットリング５で外れないように釣針３は取着されている。そのため、アイレット４よりアイ３ａの大きさが大きくても、釣針３の可動範囲が変わることは無く、釣針３の交換のためには、アイ３ａの大きさはアイレット４よりも大きい方が好ましい。
【００３５】
ところで、釣り用ルアーを用いた釣りは、スポーツの一環としても近年捉えられている。そのようなスポーツとしての釣りにおいては釣られた魚は、その後釣針をはずして、海又は湖沼等に再び放たれる。そのため、スポーツフィッシングに使用する釣り用ルアーの場合は、釣針を魚の口から取り外すときに魚の口を傷めないようにするため図示した第一〜第三の実施形態における返し３ｃを設けないことが好ましい。
【００３６】
【発明の効果】
請求項１に記載の本発明によれば、ルアー本体と釣針との間の隙間が小さくなるので、釣り用ルアーのルアー本体をめがけて食いついてきた魚の口に釣針が入りやすくなると共に、釣針は可動可能に取り付けられているので釣針の向きが変わり魚の口に釣針が確実にかかることができるという効果を有する。
【００３７】
請求項２に記載の本発明によれば、釣針がアイレットに直接繋がれるので、当該アイレットにラインを直接繋げば、魚の当たりが釣針からラインに最短距離で伝わるようになり、魚を吊り上げるタイミングを逃さないという効果を有する。請求項３に記載の本発明によれば、釣針のシャンクのルアー本体への取り付けをリップを利用して取り付けることが出来るのでアイレット等の取着手段を新たに設ける必要がないという効果を有する。
【００３８】
請求項４に記載の本発明によれば、ルアー本体と釣針との間の隙間が小さくなることに加えて、釣針が取付糸により自由に可動可能であるので、釣り用ルアーのルアー本体をめがけて食いついてきた魚の口に釣針が入りやすくなると共に、釣針は可動可能に取り付けられているので釣針の向きが変わり魚の口に釣針が確実にかかることができるという効果を有する。
請求項５に記載の本発明によれば、釣針のルアー本体への取り付けをリップを利用して取り付けることが出来るのでアイレット等の取着手段を新たに設ける必要がないということと、リップの形状により可動可能な釣針の動きを規制することが出来る効果を有する。
【００３９】
請求項６に記載の本発明によれば、釣針が交換可能とされているので、使用により劣化した釣針を新しい釣針に交換することができ、魚釣りに有効な釣り用ルアーを長い期間使用することが出来るという効果を有する。
請求項７に記載の発明によれば、釣針の動きがルアー本体に接触しないようにその可動範囲が規制されているので、水中で釣針がルアー本体に突き刺さった状態となり魚が食いついても釣針が魚に引っ掛からない状態となることを防止できるという効果がある。
【００４０】
請求項８に記載の発明によれば、さらに、海老を模した釣り用ルアーを作製することが出来るという効果を有する。
【図面の簡単な説明】
【図１】本発明に係る釣り用ルアーの第一の実施形態の構造を示す側面図である。
【図２】図１に示した釣り用ルアーの先端下部の部分拡大図である。
【図３】図２に示した態様とは異なる図１に示した釣り用ルアーの先端下部の部分拡大図である。
【図４】本発明に係る釣り用ルアーの第二の実施形態の構造を示す側面図である。
【図５】図４に示した釣り用ルアーの先端下部の部分拡大図である。
【図６】本発明に係る釣り用ルアーの第三の実施形態の構造を示す側面図である。
【図７】図６に示した釣り用ルアーの本体胴体部材への鋏足部材の取り付け構造を示す部分拡大図である。
【図８】従来の釣り用ルアーの構造を示す側面図である。
【符号の説明】
１、１０、１１  釣り用ルアー
２  ルアー本体
３  釣針
３ａ  アイ
３ｂ  シャンク
３ｃ  返し
４  アイレット
５  スプリットリング
６  リップ
６ａ  孔
７  取付糸
７ａ  輪
７ｂ  結び部
９  ライン
１２  本体胴体部材
１３  鋏足部材
１４  プレート部材
【図１】
2004159576.tif 000003
【図２】
2004159576.tif 000004
【図３】
2004159576.tif 000005
【図４】
2004159576.tif 000006
【図５】
2004159576.tif 000007
【図６】
2004159576.tif 000008
【図７】
2004159576.tif 000009
【図８】
2004159576.tif 000010